(57)【特許請求の範囲】
【請求項１】
充電電圧を供給する直流電源部と、
上記直流電源部から供給される充電電圧を外部に供給する上記直流電源部に接続された外部端子と、
上記外部端子を介して当該装置に接続され、上記直流電源部からの充電電圧が供給されるる電池パックの表面温度を測定する電池パック温度測定部と、
上記直流電源部と上記電池パック温度測定部に接続され、上記電池パック温度測定部の測定値に基づいて上記直流電源部から上記電池パックに供給される充電電圧を制御する充電制御部とを有し、
上記充電制御部には、当該装置に接続された電池パックのケース内に設けられた２次電池温度測定部により測定された上記電池パックの温度が供給され、
上記充電制御部は、上記電池パック温度測定部により測定された上記電池パックの表面温度と、上記２次電池温度測定部により測定された上記電池パックの温度とに基づいて、上記直流電源部から上記電池パックに対する充電電圧の供給を制御することを特徴とする充電装置。
【請求項２】
上記充電制御部は、上記電池パック温度測定部により測定される上記電池パックの表面温度が所定値以上であるとき、上記直流電源部からの上記電池パックへの充電電圧の供給が停止されることを特徴とする請求項１記載の充電装置。
【請求項３】
充電電圧を供給する直流電源部と、
上記直流電源部から供給される充電電圧を外部に供給する上記直流電電部に接続された外部端子と、
上記外部端子を介して当該装置に接続され、上記直流電源部からの充電電圧が供給される電池パックに収納された２次電池の電池電圧が印加される放電部とを備え、
上記放電部は、上記２次電池の電池電圧が、上記充電電圧より高い場合に、上記２次電池の電池電圧が所定の電圧になるまで上記放電部からの放電を行うことを特徴とする充電装置。
【請求項４】
さらに、上記外部端子を介して当該装置に接続され、上記直流電源部からの充電電圧が供給されるる電池パックの表面温度を測定する電池パック温度測定部と、
上記直流電源部と上記電池パック温度測定部に接続され、上記電池パック温度測定部の測定値に基づいて上記直流電源部から上記電池パックに供給される充電電圧を制御する充電制御部とを有し、
上記充電制御部は、上記電池パック温度測定部により測定された上記電池パックの表面温度が所定値以上であるとき、上記直流電源部からの上記電池パックへの充電電圧の供給を停止するとともに、上記２次電池の電池電圧が所定の電圧になるまで上記放電部から放電することを特徴とする請求項３記載の充電装置。
【発明の詳細な説明】
【０００１】
本発明は、電池パック、充電装置及び充電方法の改良、特に電池パックに収容されている２次電池の劣化を防止する電池パック、充電装置及び充電方法に関する。
【発明の属する技術分野】
【０００２】
【従来の技術】
携帯式パーソナルコンピュータ、携帯電話、ビデオカメラ等には、リチウムイオン電池やニッケルカドミウム電池等の充電式の電池（２次電池）が用いられている。２次電池とは、放電後に外部からエネルギーを供給することにより再生できる電池のことをいう。２次電池は、ケースに収容されている場合があり、そのケースの中には複数個の２次電池が例えば直列に接続されている。このケースの外周面には外部端子が設けられており、外部端子に２次電池を充電するための充電装置が接続することにより、２次電池に対して充電することができる。
【０００３】
図３に従来の電池パック及び充電装置の概念図を示す。図３の電池パック（バッテリーパックともいう）１は、２次電池である電池セル２、外部端子３等を有している。電池パック１は内部に複数の電池セル２を有しており、電池セル２に充電電圧Ｖｃ０が供給されることにより充電される。
電池パック１の外周面には、外部端子３が設けられて、電源端子３ａ、３ｂからなる。電池セル２の正極側２ａは電源端子３ａと接続されており、負極側２ｂは電源端子３ｂと接続されている。
【０００４】
充電装置４は、電源コード５、直流電源部６、充電制御部７、温度センサ８、スイッチ素子９等を有している。電源コード５は充電装置４の外周面に設けられていて、充電装置４の外周面には外部端子１０が設けられている。外部端子１０は電源端子１０ａ、１０ｂからなっており、外部端子１０は直流電源部６と接続されている。
【０００５】
直流電源部６と電源端子１０ａの間には、スイッチ素子９が設けられている。スイッチ素子９が閉じると、直流電源部６から外部端子１０に電流が流れ、スイッチ素子９が開くと、直流電源部６から外部端子１０には充電電圧Ｖｃ０が供給が停止する。スイッチ素子９の開閉は充電制御部７により制御されている。
充電制御部７は温度センサ８と接続されていて、温度センサ８はケース１ａの表面温度を測定する。温度センサ８が測定した測定値は、充電制御部７に送られる。充電制御部７は温度センサ８から送られてきた測定値に基づいて、スイッチ素子９の開閉を制御する。これは、高温時に通常の充電電圧Ｖｃ０で充電すると、電池セル２が劣化してしまうためである。
【０００６】
次に電池パック１に充電装置４が充電する動作を説明する。
まず、外部端子３と外部端子１０とが接するように、電池パック１が充電装置４に装着され、電源コード５がコンセントに挿入される。電源コード５から直流電源部６に交流電圧が供給される。直流電源部６は交流電圧を直流電圧に変換して外部端子１０に送る。外部端子１０から外部端子３に対して直流電圧が印加されて、電池セル２に充電電圧Ｖｃ０が供給される。
【０００７】
そして、温度センサ８がケース１ａの表面温度を測定し、その測定値を充電制御部７に送る。充電制御部７は送られてきた測定値に基づいて、スイッチ素子９の開閉を操作する。具体的には、充電制御部７は送られてきた測定値が基準値より大きいかどうかを判断する。もし大きいと判断すると、スイッチ９ｂを開いて充電電圧Ｖｃ０の供給を停止する。
【０００８】
【発明が解決しようとする課題】
上述したように、２次電池は高温状態で充電が行われると、電池セルが劣化してしまい、放電容量が減少し、また内部ショートを起こして破損の原因となる。よって従来は、充電装置４に温度センサ８を設けてケース１ａの温度を確認しながら充電を行い、ケース１ａの温度が設定温度以上になると、電池セル２に対して充電を停止するようにしている。
【０００９】
しかし、電池セル２の表面温度が、設定温度より低く比較的高温である場合、電池セル２が劣化する可能性があった。すなわち、電池セル２が例えばリチウムイオン電池である場合、通常電池セル２には充電電圧Ｖｃが４．２Ｖで充電が行われる。そして、電池セル２の表面温度が６０℃以上になったら充電を停止するように充電制御部７に設定されている。充電している最中、電池セル２の表面温度が５０℃〜５９℃のとき、設定値である６０℃より低い温度のため、充電は続けられる。しかし、５０℃〜５９℃であっても通常の充電電圧Ｖｃが４．２Ｖで充電すると電池セル２が劣化してしまうという問題がある。
【００１０】
ケース１ａの表面温度が５０℃〜５９℃の場合、通常の充電電圧Ｖｃである４．２Ｖで充電すると電池セル２は劣化するが、充電電圧Ｖｃを下げて４．０Ｖ〜４．１Ｖにして充電を行うことにより、電池セル２の劣化を防ぐことができる。
しかし、従来の電池パック１及び充電装置４には充電電圧Ｖｃを変化される機能を有するものがなく、電池セル２の表面温度を設定温度を比較して、充電を続けるか停止するかを判断することしかできなかった。これにより、電池セル２の劣化を招き、放電容量の減少、内部ショートによる電池セルの破損等の問題が生じている。
【００１１】
そこで本発明は上記課題を解消し、２次電池の劣化を防ぎ、効率よく２次電池に対して充電することができる電池パック、充電装置及び充電方法を提供することを目的としている。
【００１２】
【課題を解決するための手段】
本発明は、上述の課題に鑑みて提案されたものであり、充電電圧を供給する直流電源部と、上記直流電源部から供給される充電電圧を外部に供給する上記直流電源部に接続された外部端子と、上記外部端子を介して当該装置に接続され、上記直流電源部からの充電電圧が供給されるる電池パックの表面温度を測定する電池パック温度測定部と、上記直流電源部と上記電池パック温度測定部に接続され、上記電池パック温度測定部の測定値に基づいて上記直流電源部から上記電池パックに供給される充電電圧を制御する充電制御部とを有し、上記充電制御部には、当該装置に接続された電池パックのケース内に設けられた２次電池温度測定部により測定された上記電池パックの温度が供給され、上記充電制御部は、上記電池パック温度測定部により測定された上記電池パックの表面温度と、上記２次電池温度測定部により測定された上記電池パックの温度とに基づいて、上記直流電源部から上記電池パックに対する充電電圧の供給を制御するようにしたものである。
【００１３】
さらに、本発明は、充電電圧を供給する直流電源部と、上記直流電源部から供給される充電電圧を外部に供給する上記直流電源部に接続された外部端子と、上記外部端子を介して当該装置に接続され、上記直流電源部からの充電電圧が供給される電池パックに収納された２次電池の電池電圧が印加される放電部とを備え、上記放電部は、上記２次電池の電池電圧が、上記充電電圧より高い場合に、上記２次電池の電池電圧が所定の電圧になるまで上記放電部からの放電を行うようにしたものである。
【００１４】
さらにまた、本発明は、放電部を備える充電装置において、上記外部端子を介して当該装置に接続され、上記直流電源部からの充電電圧が供給される電池パックの表面温度を測定する電池パック温度測定部と、上記直流電源部と上記電池パック温度測定部に接続され、上記電池パック温度測定部の測定値に基づいて上記直流電源部から上記電池パックに供給される充電電圧を制御する充電制御部とを有し、上記充電制御部は、上記電池パック温度測定部により測定された上記電池パックの表面温度が所定値以上であるとき、上記直流電源部からの上記電池パックへの充電電圧の供給を停止するとともに、上記２次電池の電池電圧が所定の電圧になるまで上記放電部から放電するようにしたものである。
【００１５】
本発明では、２次電池の電池電圧が、充電電圧より高い場合に、充電電圧が放電部より所定の電圧になるまで放電される。さらに、電池パック温度測定部により測定された電池パックの表面温度が所定値以上であるとき、直流電源部からの電池パックへの充電電圧の供給を停止する２次電池の劣化を防止する。
【００１６】
さらに、本発明は、電池パックに収容されている２次電池に充電電圧を供給するする充電方法において、充電しているときの上記２次電池の温度を測定するとともに、上記電池パックの表面温度を測定し、上記２次電池の温度と上記電池パックの温度の少なくともいずれか一方の測定値が所定値以上であるとき、上記電池パックへの充電電圧の供給を停止するようにしたものである。
【００１７】
本発明は、充電が行われる２次電池の温度を測定し、その測定値に基づいて充電電圧の２次電池への充電を停止させることで、２次電池が劣化する。
【００１８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
図１には本発明の電池パック及び充電装置の好ましい実施の形態の概念図を示している。図１を参照して電池パック２０及び充電装置について説明する。電池パック２０は、ケース２１、２次電池である電池セル２２、２次電池温度測定部２３、過充電保護部２４、外部端子２５等を有している。
【００２０】
ケース２１はその外周面に外部端子２５を有しており、外部端子２５は電源端子２５ａ、２５ｂ、温度端子２５ｃからなっている。電源端子２５ａ、２５ｂは後述する充電装置３０の電源端子３７ａ、３７ｂとそれぞれ接続して、電池セル２２に対して充電電圧Ｖｃ１を供給する。温度端子２５ｃは充電装置３０の温度端子３７ｃと接続して、２次電池温度測定部２３で測定した測定値Ｍ１を充電装置３０に対して送る。
【００２１】
電池セル２２はケース２１内に収容されており、例えばリチウムイオン電池、ニッケルカドミウム電池等からなる２次電池である。電池セル２２の正極側は電源端子２５ａに接続されており、負極側は電源端子２５ｂに接続されている。これら電源端子２５ａ、２５ｂに充電電圧Ｖｃ１が供給されると、電池セル２２が充電される。電池セル２２には２次電池温度測定部２３が接続されており、２次電池温度測定部２３は電池セル２２の温度を測定して、その測定値Ｍ１を過充電保護部２４に送る。また、２次電池温度測定部２３は温度センサ端子２５ｃとも接続されていて、測定値Ｍ１を温度センサ端子２５ｃに送る。２次電池温度測定部２３は、例えばサーミスタ、温度センサＩＣ等からなっている。
【００２２】
図１を参照して過充電保護部２４について詳しく説明する。
過充電保護部２４は、電池セル２２の正極側と負極側に接続されており、電池セルに印加される充電電圧Ｖｃ１を測定している。過充電保護部２４は、２次電池温度測定部２３と接続されていて、２次電池温度測定部２３から測定値Ｍ１が送られる。過充電保護部２４は、基準温度Ｔｒ１が予め設定されており、測定値Ｍ１と基準温度Ｔｒ１とを比較して、その測定値に応じて充電電圧Ｖｃ１を電池セル２２に供給する。また、過充電保護部２４は電池電圧Ｖｃ２が充電電圧Ｖｃ１より高くなってしまった場合、スイッチ素子２４ｃを開いて（ｏｎ状態）充電を停止する。
【００２３】
スイッチ素子２６は電源端子２５ｂと電池セル２２の間に設けられており、そのスイッチング動作は過充電保護部２４により制御されている。スイッチ素子２６が閉じると（ｏｆｆ状態）、電池セル２２に対して充電電圧Ｖｃ１が供給され、スイッチ素子２６が開くと（ｏｎ状態）充電が停止する。また、電池電圧Ｖｃ２が充電電圧Ｖｃ１よりも高いときにおいても、スイッチ素子２６はｏｆｆ状態になり、電池電圧Ｖｃ２を放電する。電池電圧Ｖｃ２の放電は、ダイオード２７を介して行われる。
【００２４】
電池セル２２が外部から充電される動作について、図１を参照しながら詳しく説明する。
まず、電源端子２５ａ、２５ｂに充電電圧Ｖｃ１が印加され、電池セル２２に対して充電電圧Ｖｃ１が供給される。電池セル２２の温度は２次電池温度測定部２３によって常に測定されており、その測定値Ｍ１が過充電保護部２４に送られる。
【００２５】
過充電保護部２４には、温度の基準値Ｔｒ１が予め入力されていて、測定値Ｍ１と基準値Ｔｒ１を比較して、測定値Ｍ１に応じて充電電圧Ｖｃ１を変化させる。図２には、基準値Ｔｒ１に対応した充電電圧Ｖｃ１の表を示している。ここで、過充電保護回路２４は、測定値Ｍ１が５９℃以下のときはスイッチ素子２４ｃを閉じた状態に保持し、測定値Ｍ１が６０℃以上、もしくは充電電圧Ｖｃ１よりも電池電圧Ｖｃ２の方が高い場合、スイッチ素子２６を開いて充電を停止するとともに、ダイオード２７を介して電池電圧を放電する。
【００２６】
これにより、高温状態に電池セル２２が充電されていく際電池セル２２は熱を発生し、あるいは外気の気温等により、電池セル２２の温度が上昇する場合があっも、電池セル２２を劣化させることなく充電を行うことができる。
また、電池パック２０に充電電圧を変化させる機能を持たせることで、充電電圧を変化させる機能を有していない充電装置を用いて充電する場合であっても、電池セル２２の劣化を防止することができる。
【００２７】
次に図１を参照して充電装置３０について詳しく説明する。
図１の充電装置３０は、ケース３１、電源コード３２、直流電源部３３、充電制御部３４、電池パック温度測定部３５、スイッチ手段３６、外部端子３７等を有している。
ケース３１の外側には電源コード３２と外部端子３７が設けられている。電源コード３２は、ケース３１内に配置されている直流電源部３３と接続されており、外部から直流電源部３３に対して交流電圧を供給する。
【００２８】
外部端子３７は、電源端子３７ａ、３７ｂ、温度センサ端子３７ｃからなっている。電源端子３７ａは直流電源部３３の正極側に接続されており、電源端子３７ｂは直流電源部３３の負極側に接続されている。電源端子３７ａ、３７ｂは、電池パック２０の電源端子２５ａ、２５ｂとそれぞれ接触して、充電装置３０が電池パック２０へ充電電圧Ｖｃ１を供給する。
温度センサ端子３７ｃは、電池パック２０の温度センサ端子２５ｃと接触するように設けられており、充電制御部２４と接続されている。２次電池温度測定部２３が測定した測定値Ｍ１を受け取り、充電制御部３４に送る。
【００２９】
直流電源部３３は電源コード３２から供給された交流電圧を直流電圧に変換して、電源端子３７ａ、３７ｂに対して充電電圧Ｖｃを供給する。また、直流電源部３３は、充電制御部３４と接続されていて、充電制御部３４は電源端子３７ａ、３７ｂに供給する充電電圧Ｖｃ１を制御する。
【００３０】
直流電源部３３と電源端子３７ａの間にはスイッチ手段３６が設けられている。スイッチ手段３６は充電制御部３４に接続されており、スイッチング動作を制御されている。スイッチ手段３６はスイッチ素子３６ａ、３６ｂを有しており、スイッチ素子３６ａが閉じると（ｏｆｆ状態）、直流電源部３３から電源端子３７ａ、３７ｂに対して充電電圧Ｖｃ１が供給される。また、スイッチ素子３６ａが開くと（ｏｎ状態）、充電電圧Ｖｃ１が電源端子３７ａ、３７ｂに印加されず、充電が停止する状態となる。
スイッチ３６ｂは放電部３８と接続されている。スイッチ素子３６ａが開いてスイッチ素子３６ｂが閉じると、放電部３８に電池電圧Ｖｃ２が印加される。放電部３８は電源端子２５ａ、２５ｂが充電電圧よりも高い場合、所定の充電電圧になるまで放電するために設けられている。
【００３１】
電池パック温度測定部３５は、電池パック２０のケース２１の温度を測定するため、ケース２１と接触しており、電池パック温度測定部３５が測定したケース２１の表面温度Ｍ２を充電制御部３４に送られる。この測定値Ｍ１、Ｍ２と予め設定されている基準値Ｔｒ２と比較して、充電制御部３４が電源端子３７ａ、３７ｂに供給する充電電圧Ｖｃ１を制御する。基準値Ｔｒ２の値は、それぞれの設定温度において電池セル２２に印加しても、電池セルが劣化したり、内部ショートを起こして破損しないような充電電圧Ｖｃ１になるように設定されている。
【００３２】
充電制御部３４が充電電圧Ｖｃ１を制御する方法を具体的に説明する。
まず、スイッチ素子３６ａが閉じており、スイッチ素子３６ｂが開いた状態で、直流電源部３３から電源端子に対して充電電圧Ｖｃ１が供給される。このとき、電池パック温度測定部３５が作動して、電池パックの表面温度の測定値Ｍ２を充電制御部３４に送る。充電制御部３４では送られてきた測定値Ｍ２を基準値Ｔｒ２と比較する。そして、測定値Ｍ２の値によって充電制御部３４が直流電源部３３から供給される充電電圧Ｖｃ１を変化させる。
また、充電を停止する際には、スイッチ素子３６ａを開いた状態にして、充電電圧Ｖｃ１の供給を停止する。また、電源端子３７ａ、３７ｂの電圧（電池電圧Ｖｃ２）が充電電圧Ｖｃ１より高い場合、スイッチ素子３６ａを開いて、かつスイッチ素子３６ｂを閉じることで、電池電圧Ｖｃ２を放電部３８で放電する。
【００３３】
これにより、高温状態に電池セル２２が充電されていく際、電池セル２２は熱を発生し、あるいは外気の気温等により、電池セル２２の温度が上昇する場合があっも、電池セル２２を劣化させることなく充電を行うことができる。
また、電池パック２０に充電電圧を変化させる機能を持たせることで、充電電圧を変化させる機能を有していない充電装置を用いて充電する場合であっても、電池セル２２の劣化を防止することができる。
【００３４】
次に図１と図２を参照して電池セル２２がリチウムイオン電池である場合における、電池セル２２が充電装置３０に充電される動作について詳しく説明する。
まず、充電装置３０に対して電池パック２０が固定される。このとき、電池パック２０の外部端子２５が、充電装置３０の外部端子３７と接触するように配置する。そして、電源コード３２がコンセント等の交流電源供給部に挿入され、直流電源部３３に交流電流及び交流電圧を供給する。
【００３５】
直流電源部３３は、供給された交流電圧を直流電圧に変換して、スイッチ手段３６を介して電源端子３７ａ、３７ｂに充電電圧Ｖｃ１を供給する。電源端子３７ａ、３７ｂに接触している電源端子２５ａ、２５ｂに充電電圧Ｖｃ１が印加され、電源端子２５ａ、２５ｂに接続されている電池セル２２に対して充電電圧Ｖｃ１が供給される。これにより、電池セル２２に対して充電が行われる。
【００３６】
このとき、２次電池温度測定部２３が電池セル２２の温度を測定し、その測定値Ｍ１を過充電保護回路２４及び温度センサ端子２５ｃに送る。同時に電池パック温度測定部３５がケース２１の温度を測定し、その測定値Ｍ２を充電制御部３４に送る。過充電保護部２４と充電制御部３４は測定値Ｍ１、Ｍ２を基準値Ｔｒ１、Ｔｒ２と比較して、その基準値Ｔｒ１、Ｔｒ２に対応した充電電圧Ｖｃ１を電源端子３７ａ、３７ｂもしくは電池セル２２に供給する。
【００３７】
図２に示すように、測定値Ｍ１、Ｍ２が４５℃より低い値であるときは、過充電保護部２４と充電制御部３４が作動して、充電電圧Ｖｃ１を４．２Ｖにする。このとき、スイッチ素子２６は閉じており、スイッチ素子３６ａは閉じた状態、スイッチ素子３６ｂは開いた状態に制御される。そして、測定値Ｍ１、Ｍ２が４５℃〜５９℃のとき、充電制御部３４が作動して電源端子には４．０Ｖの電圧が供給される。よって、電池セル２２に供給される充電電圧Ｖｃ１は、４．０Ｖになる。さらに、測定値Ｍ２が６０℃以上の場合、充電制御部３４がスイッチ素子３６ａを開いて充電を停止する。また、電池電圧Ｖｃ２が充電電圧Ｖｃ１より高い場合、スイッチ素子２６が開いてダイオード２７で電池電圧Ｖｃ２を放電するとともに、スイッチ素子３６ａが開いてスイッチ素子３６ｂが閉じることで、放電部３８で電池電圧Ｖｃ２を放電する。
【００３８】
ここで、過充電保護部２４の基準値Ｔｒ１と充電制御部３４の基準値Ｔｒ２とは充電電圧が１００ｍＶだけ基準値Ｔｒ１より基準値Ｔｒ２の方が小さくなっている。これは以下の理由からである。
もし、基準値Ｔｒ１とＴｒ２が同じ値であるとすると、正常な充電時でも電池パック２０の過充電保護部２４が作動してしまうおそれがあるためである。すなわち、正常な充電時に過充電保護部２４が作動すると、充電途中で充電電流を遮断するため、十分な電池放電容量になるまで充電できない。例えば、正常な充電時には電池電圧Ｖｃ２が徐々に３Ｖから４．２Ｖにまで高くなり、４．２Ｖに到達すると、充電電流が１Ａから０Ａへと小さくなっていく。このとき、基準値Ｔｒ１とＴｒ２が同じ４．２Ｖであるとすると、電池電圧Ｖｃ２が４．２Ｖに到達し、充電電流が１Ａのときに過充電保護部２４が作動して、充電電流が遮断されることになり、十分電池放電容量になるまで充電できないためである。
【００３９】
上記実施の形態によると、リチウムイオン電池等を用いた電池セル２２に対して、電池温度に対応した最適な充電電圧Ｖｃで充電することができる。また、大気の温度が高温時に電池パック２０を充電する際、電池温度も高温になるので、充電電圧Ｖｃ１をより低く変化させることにより、電池セル２２の劣化や破壊を防止することができる。すなわち、電池セル２２の放電容量が減少し、あるいは内部ショートによる充電放電が不可能になる状態に陥るのを防止することができる。
さらに設定の充電電圧Ｖｃ１が電池電圧Ｖｃ２よりも低くなった場合、電池セル２２を放電することにより、電池電圧を所定の電圧まで下げることができるので、電池セル２２の劣化や破壊を防止することができる。これにより、高温による電池パック２０の劣化を最小限にすることができるとともに、電池パック２０はより高温まで耐えることができる。
【００４０】
ところで、本発明は、上記実施の形態に限定されない。図２に示した基準値Ｔｒ１、Ｔｒ２と、充電電圧Ｖｃ１、Ｖｃ２は図２に示した数値に限定されず、２次電池の種類、電池パック及び充電装置の使用される地域の気候等によって設定を変えても勿論構わない。また、電池パック２０の放電手段として、抵抗その他の放電素子を用いることができる。  上述したダイオード２７には、ショットキバリアダイオード、一般整流ダイオードなどを用いてもよい。さらに、上述した充電装置３０は測定値Ｍ１及び測定値Ｍ２の値に基づいて充電電圧を制御するようになっているが、測定値Ｍ２、すなわち電池パック２０の表面温度のみを測定して充電電圧を変化させるようにしてもよい。これにより、温度センサ端子２５ｃを有していない電池パック２２に対しても、充電装置３０を用いることができる。
【００４１】
【発明の効果】
以上説明したように、本発明によれば、２次電池の劣化を防ぎ、効率よく２次電池に対して充電することができる電池パック、充電装置及び充電方法を提供することができる。
【図面の簡単な説明】
【図１】本発明の電池パック及び充電装置の好ましい実施の形態を示す概念図。
【図２】基準値Ｔｒ１、Ｔｒ２に対応した充電電圧Ｖｃ１の関係を示す表図。
【図３】従来の電池パック及び充電装置を示す概念図。
【符号の説明】
２０・・・電池パック、２１・・・ケース、２２・・・電池セル、２３・・・２次電池温度測定部、２４・・・過充電保護部、２５・・・外部端子、２６・・・ダイオード（放電部）、３０・・・充電装置、３１・・・ケース、３４・・・充電制御部、３５・・・電池パック温度測定部、３６・・・スイッチ手段、３７・・・外部端子、３８・・・放電部。
【図１】
0003951386.tif 000002
【図２】
0003951386.tif 000003
【図３】
0003951386.tif 000004